(57)【特許請求の範囲】
【請求項１】
二枚重ねのフィルムの両側部を融着して一体化してなるとともに、頂部側の第一開口部と、前記頂部側よりも幅狭とされた底部側の第二開口部を有する生花の収納袋であって、
前記収納袋の幅方向に延びる線状の分割部を、前記二枚重ねのフィルムの一方にのみ設けるとともに、前記分割部の側端を前記両側部にそれぞれつなげて、前記分割部を、前記収納袋の幅方向に分断しつつ前記両側部の頂部側を破断することにより、前記一方のフィルムの前記分割部から前記頂部までの部分を除去可能とし、
前記分割部を、前記一方のフィルムの前記頂部側と前記底部側に並列して形成した生花の収納袋。
【発明の詳細な説明】
【技術分野】
【０００１】
本発明は、生花の収納袋に関する。
【背景技術】
【０００２】
この種の生花の収納袋として、特許文献１に開示の収納袋が公知である。この収納袋は、略台形状（正面視）の袋体であり、第一開口部と、第二開口部と、複数の分割部（第一分割部，第二分割部）と、吊り部を有する。
第一開口部は、収納袋の頂部側に形成されており、第二開口部は、頂部側よりも幅狭の底部側に形成される。そして第一開口部から生花を挿入しつつ、第二開口部から生花の茎を突出させる。
【０００３】
ここで収納袋は、一対のフィルム（ポリプロピレン製）を重ね合わせたのち、両フィルムの側部を融着することで作製される。
公知技術では、第一分割部（ミシン目状）を、一対のフィルム（双方）の中間位置に形成しつつ、収納袋の幅方向に延設する。そして第一分割部にて収納袋（全体）を上下に分割することにより、収納袋から生花をスムーズに取出すことができる。
【０００４】
また吊り部は、壁体から収納袋を吊り下げるための部位であり、収納袋の上部に設けることができる。公知技術では、一方のフィルムの頂部側を、他方のフィルムよりも長くして、吊り部（略長方形状）を形成できる。吊り部には貫通孔が形成されており、例えば吊り下げ用の棒部材を挿入可能である。
公知技術では、第二分割部（ミシン目状）を、一方のフィルムの頂部側に形成して、収納袋本体（一対のフィルムが重ねられた部分）から吊り部を分割可能とする。そして複数の収納袋を束ねつつ、各収納袋の吊り部に棒部材を挿入して壁体から吊下げる。つぎに収納袋（本体）を引っ張りつつ、第二分割部にて吊り部から分割することで、収納袋を個々に取出すことができる。
【先行技術文献】
【特許文献】
【０００５】
【特許文献１】特開平１０−２１８２００号公報
【発明の概要】
【発明が解決しようとする課題】
【０００６】
ところで公知技術では、第一分割部にて、収納袋を上下に分割可能である。このため生花の収納時などに、第一分割部に生花が引っかかるなどして、収納袋が上下に分割されることがあった（取扱性にやや劣る構成であった）。
特に公知技術の構成では、吊り下げ状態の収納袋を引っ張る際に、第一分割部が分断されるなどして、収納袋が上下に分割されることもあった。
もっとも第一分割部を省略すればよいが、そうすると収納袋から生花をスムーズに取出すことができない（取出し性にやや欠ける構成となる）。
本発明は上述の点に鑑みて創案されたものであり、本発明が解決しようとする課題は、生花の取出し性を極力維持しつつ、収納袋に生花を取扱性良く収納することにある。
【課題を解決するための手段】
【０００７】
上記課題を解決するための手段として、第１発明の生花の収納袋は、二枚重ねのフィルムの両側部を融着して一体化してなるとともに、頂部側の第一開口部と、頂部側よりも幅狭とされた底部側の第二開口部を有する。
そして第一開口部から生花を挿入しつつ、第二開口部から生花の茎を突出等させるのであるが、この種の構成では、生花の取出し性を極力維持しつつ、収納袋に生花を取扱性良く収納できることが望ましい。
【０００８】
そこで本発明では、収納袋の幅方向に延びる線状の分割部を、二枚重ねのフィルムの一方にのみ設けるとともに、分割部の側端を両側部にそれぞれつなげて、分割部を、収納袋の幅方向に分断しつつ両側部の頂部側を破断することにより、一方のフィルムの分割部から頂部までの部分を除去可能とし、分割部を、一方のフィルムの頂部側と底部側に並列して形成した。
本発明では、第一開口部から生花を挿入しつつ、二枚重ねのフィルムの他方（分割部の非形成箇所）に沿って生花をスムーズに第二開口部に導くことができる。
また一方のフィルムの分割部から頂部までの部分を除去することで、収納袋から生花をスムーズに取出すことができる（生花の取出し性を好適に維持できる）。
【発明の効果】
【０００９】
本発明に係る第１発明によれば、生花の取出し性を極力維持しつつ、収納袋に生花を取扱性良く収納することができる。
【図面の簡単な説明】
【００１０】
【図１】（ａ）は、収納袋の正面図であり、（ｂ）は、収納袋の裏面図である。
【図２】吊り下げ状態時における収納袋の束の斜視図である。
【図３】生花を取出す際の収納袋の斜視図である。
【発明を実施するための形態】
【００１１】
以下、本発明を実施するための形態を、図１〜図３を参照して説明する。各図には、収納袋の上方に符号ＵＰ、収納袋の下方に符号ＤＷを適宜付す。なお図３では、便宜上、一つの生花にのみ符号を付す。
【００１２】
図１の収納袋１０は、略台形状（正面視）の袋体であり、第一開口部１１と、第二開口部１２を有する。
第一開口部１１は、収納袋１０の頂部側（上端）に形成されており、第二開口部１２は、頂部側よりも幅狭の底部側（下端）に形成される。
本実施例では、例えば第一開口部１１から生花２を挿入しつつ、第二開口部１２から生花２の茎を突出させる（図３を参照）。この種の収納袋１０では、生花２の取出し性を極力維持しつつ、収納袋１０に生花２を取扱性良く収納できることが望ましい。
そこで本実施例では、後述の構成により、生花２の取出し性を極力維持しつつ、収納袋１０に生花２を取扱性良く収納することとした。以下、各構成について詳述する。
【００１３】
収納袋１０は、一対のフィルム（表フィルム１４ｆ，裏フィルム１４ｓ）を重ね合わせたのち、両フィルムの側部（一側部１５ｆ、他側部１５ｓ）を一体化することで作製できる（図１を参照）。
表フィルム１４ｆと裏フィルム１４ｓは、ともに略台形状（正面視）のシート体であり、透明又は半透明（典型的にポリプロピレン製）であることが好ましい。両フィルムの側部（１５ｆ，１５ｓ）を一体化する手法は特に限定しないが、典型的には、熱刃を押し当てるなどして、同側部を融着して一体化することができる。
本実施例の収納袋１０は、上述の開口部１１，１２と、複数の分割部（第一分割部１６，第二分割部１７）と、吊り部１８を有する。そして後述するように、第一分割部１６にて、表フィルム上部１４ａ（第一分割部１６から頂部までの部分）を除去可能とすることで、収納袋１０から生花２をスムーズに取出す構成とした（図３を参照）。
【００１４】
（第一分割部）
第一分割部１６は、収納袋１０の幅方向に延びる線状の部位であり、ミシン目、シート幅方向に並列する複数の孔部（貫通孔）、シート幅方向に並列する複数の溝部（フィルムの厚み寸法が薄い部分）を例示できる。
第一分割部１６の形状（正面視）は特に限定しないが、直線状（略水平状）、傾斜状、波線状、ジグザグ状、階段状等の各種形状をとることができる。
本実施例では、表フィルム１４ｆ（二枚重ねのフィルムの一方）にのみ第一分割部１６（直線状）を設ける。このとき第一分割部１６を、表フィルム１４ｆの略中央に設けつつ、第一分割部１６の側端を、収納袋１０の両側部１５ｆ，１５ｓにつなげる。
こうすることで表フィルム１４ｆが、第一分割部１６にて、表フィルム上部１４ａ（第一分割部１６から頂部までの部分）と、表フィルム下部１４ｂ（第一分割部１６から底部までの部分）に分割可能となる。
そして本実施例では、裏フィルム１４ｓが第一分割部１６を有さない。このため裏フィルム１４ｓの内面（第一分割部１６の非形成箇所）が、平滑な状態で維持されることとなる。
【００１５】
（吊り部）
吊り部１８は、被吊下部位Ｗ（壁体など）に収納袋１０を吊り下げるための部位であり、裏フィルム１４ｓの上部に設けることができる（図２を参照）。
ここで被吊下部位Ｗ（壁体など）には、一対の棒部材１９が並列して突設されており、それぞれ水平方向に延びる。
本実施例の吊り部１８は、横長な略長方形状の部位（正面視）であり、裏フィルム１４ｓの頂部側を、表フィルム１４ｆよりも長くすることで形成できる。吊り部１８には、複数の貫通孔Ｈが形成されており、それぞれ棒部材１９を挿入可能である。
【００１６】
（第二分割部）
第二分割部１７は、収納袋１０の幅方向に延びる線状の部位であり、ミシン目、複数の孔部、複数の溝部を例示できる。
第二分割部１７の形状（正面視）は特に限定しないが、直線状（略水平状）、傾斜状、波線状、ジグザグ状、階段状等の各種形状をとることができる。
本実施例では、裏フィルム１４ｓの上部に第二分割部１７を形成して、収納袋１０本体（表フィルム１４ｆと裏フィルム１４ｓの重なる部分）と吊り部１８を分割可能とする。
【００１７】
［生花の収納及び取出し作業］
図２を参照して、複数の収納袋１０を束ねつつ、一対の棒部材１９に各吊り部１８を挿入して、被吊下部位Ｗから吊り下げる。
そして収納袋１０（本体）を引っ張りつつ、第二分割部１７にて吊り部１８を分割することで、収納袋１０（本体）を個々に取出す。このとき本実施例では、第一分割部１６が表フィルム１４ｆにのみ形成されるため、収納袋１０が上下に分割されることを防止又は低減できる。
つぎに第一開口部１１から生花２を挿入しつつ、第二開口部１２から生花２の茎を突出させる。このとき本実施例では、裏フィルム１４ｓの内面（第一分割部１６の非形成箇所）に沿って生花２を収納袋１０内に挿入する。これにより生花２を、第一分割部１６に引っ掛けることなく、スムーズに第二開口部１２に導くことができる（取扱性に優れる構成である）。
【００１８】
そして図３を参照して、表フィルム１４ｆの上部（第一分割部１６から頂部までの部分）を除去して、収納袋１０から生花２を取出す。
本実施例では、第一分割部１６を横方向に分断しつつ、両側部１５ｆ，１５ｓの上部を破断する。これにより表フィルム上部１４ａを裏フィルム１４ｓから分離して、生花２の上部側を収納袋１０から露出させることができる。このとき表フィルム下部１４ｂを、裏フィルム１４ｓ側に残すことにより、収納袋１０からの生花２の脱落を防止又は低減することができる。
そして生花２の上部側を収納袋１０から露出させることにより、生花２を極力傷めることなく、収納袋１０からスムーズに取出すことができる。
このため本実施例によれば、生花２の取出し性を極力維持しつつ、収納袋１０に生花２を取扱性良く収納することができる。
【００１９】
本実施形態の生花の収納袋は、上述した実施形態に限定されるものではなく、その他各種の実施形態を取り得る。
（１）本実施形態では、単数の第一分割部１６を表フィルム１４ｆに設ける例を説明したが、第一分割部の形成数を限定する趣旨ではない。例えば複数の第一分割部を、表フィルムの上下に並列して形成することもできる。
（２）また本実施形態では、第一分割部１６を表フィルム１４ｆのみに設ける例を説明したが、裏フィルム１４ｓにのみ設けることもできる。
（３）また本実施形態では、吊り部１８と第二分割部１７を設ける例を説明したが、これら両部を省略することもできる。
（４）また本実施形態では、表フィルム１４ｆを連続的に横断する第一分割部１６を例示した。これとは異なり、表フィルムを分断可能であるかぎり、第一分割部を断続的に形成することもできる。
【符号の説明】
【００２０】
２     生花
１０   収納袋
１１   第一開口部
１２   第二開口部
１４ｆ 表フィルム
１４ｓ 裏フィルム
１６   第一分割部
１７   第二分割部
１８   吊り部
１９   棒部材
Ｗ     被吊下部位
【図１】
0005367773.tif 000002
【図２】
0005367773.tif 000003
【図３】
0005367773.tif 000004